(57)【特許請求の範囲】
【請求項１】
縦桟と横桟とが格子状に組まれたメッシュパネルを、ハット形鋼からなる支柱に固定するためのフェンス用固定金具において、
前記支柱の一方のフランジに係合するフックと前記縦桟が嵌まり込む複数個の溝とボルトとからなるＬ字状の第１金具と、前記支柱の他方のフランジに係合するフックと前記ボルトのボルト孔とからなるＬ字状の第２金具とから構成され、前記第１金具の前記フックと前記第２金具の前記フックとを前記支柱のフランジに係合させ、前記溝内に前記縦桟を嵌め込んで前記第２金具により挟み、前記ボルト孔から突出した前記ボルトにナットをねじ込むことによって、前記メッシュパネルを前記支柱に固定することを特徴とするフェンス用固定金具。
【請求項２】
前記溝は、複数個連設され、その深さは、前記縦桟の直径寸法より浅いことを特徴とする、請求項１記載のフェンス用固定金具。
【請求項３】
前記溝は、半円形状または横長半円形状に形成されていることを特徴とする、請求項１または２記載のフェンス用固定金具。
【発明の詳細な説明】
【技術分野】
【０００１】
この発明は、フェンス用固定金具、特に、既設のネットフェンスをメッシュフェンスに改装する際に使用するフェンス用固定金具に関するものである。
【背景技術】
【０００２】
従来から広く構築されているフェンスとしてネットフェンスがある。このネットフェンスは、図４および図５に示すように、ハット形鋼からなる支柱１と、支柱１間に固定された、アングル鋼からなる上、下胴縁２（上胴縁のみ図示）と、上、下胴縁２間に取り付けられた菱形金網３とからなっている。端部がナックル加工された菱形金網３は、その上端部に挿通された鉄線４を、上胴縁２の垂直部に形成された爪２Ａに引っ掛けることによって、上胴縁２に取り付けられている。菱形金網３の下端部の下胴縁（図示せず）への取り付けは、爪２Ａの向きが上下逆になっている点を除いて、上胴縁の場合と同様である。
【０００３】
上胴縁２の垂直部は、支柱１のリップの上部に形成された上部爪１Ａ内に挿入され、上胴縁２の水平部は、支柱１のウェブに挿通されたボルト５により固定金具６を介して固定されている。固定金具６は、上胴縁２の水平部が嵌め込まれる溝６Ａを有し、袋ナット７によって固定されている。下胴縁の支柱１への固定構造は、上部爪１Ａの向きが上下逆になっている点を除いて、上胴縁の場合と同様である。
【発明の開示】
【発明が解決しようとする課題】
【０００４】
このように構成されているネットフェンスは、年月が経過すると、菱形金網３の破れや変形によって、美観が著しく損なわれ、場合によってはフェンスとしての機能が失われる場合もある。
【０００５】
このような欠陥を有するフェンスは、新規に構築し直すのが最良であるが、構築費用および工期がかかるので、破損部分のみを新たな部材に取り替える改装が得策である。また、改装する場合であっても、より安価に短期間で構築することが強く望まれている。
【０００６】
一方、菱形金網３を用いたネットフェンスに比べて美観が優れていることから人気が高まっているメッシュフェンスが近年、主流になりつつある。メッシュフェンスは、上、下端部を種々の形状に折り曲げて胴縁を形成した鋼線材製縦桟に鋼線材製横桟を溶接により接合し、これに樹脂被覆を施して、メッシュパネルを構成し、このメッシュパネルを支柱間に固定したものである。
【０００７】
このようなメッシュフェンスが主流となりつつある現状において、ネットフェンスの支柱をそのまま利用し、この既設の支柱にメッシュパネルを取り付けてメッシュフェンスに改装すれば、構築費用および工期面で多大なメリットがある。
【０００８】
この際、メッシュパネルを既設の支柱に固定する際、支柱にボルト孔等の加工を新たに施すことなくメッシュパネルを確実に支柱に固定することができ、しかも、メッシュパネルの縦桟の位置が支柱に対して横方向に多少ズレても、これに対応して縦桟を確実に支柱に固定することができるフェンス用固定金具が望まれているが、かかる固定金具は未だ開発されていない。
【０００９】
従って、この発明の目的は、メッシュフェンスを新設する際は勿論、ネットフェンスをメッシュフェンスに改装する際に、支柱にボルト孔等の加工を施すことなくメッシュパネルを確実に支柱に固定することができ、しかも、メッシュパネルの縦桟の位置が支柱に対して横方向に多少ずれていても、これに対応して縦桟を確実に支柱に固定することができるフェンス用固定金具を提供することにある。
【課題を解決するための手段】
【００１０】
この発明は、上記目的を達成するためになされたものであって、下記を特徴とするものである。
【００１１】
請求項１記載の発明は、縦桟と横桟とが格子状に組まれたメッシュパネルを、ハット形鋼からなる支柱に固定するためのフェンス用固定金具において、前記支柱の一方のフランジに係合するフックと前記縦桟が嵌まり込む複数個の溝とボルトとからなるＬ字状の第１金具と、前記支柱の他方のフランジに係合するフックと前記ボルトのボルト孔とからなるＬ字状の第２金具とから構成され、前記第１金具の前記フックと前記第２金具の前記フックとを前記支柱のフランジに係合させ、前記溝内に前記縦桟を嵌め込んで前記第２金具により挟み、前記ボルト孔から突出した前記ボルトにナットをねじ込むことによって、前記メッシュパネルを前記支柱に固定することに特徴を有するものである。
【００１２】
請求項２記載の発明は、請求項１記載の発明において、第１金具の溝は、複数個連設され、その深さは、縦桟の直径寸法より浅いことに特徴を有するものである。
【００１３】
請求項３記載の発明は、請求項１または２記載の発明において、溝は、半円形状または横長半円形状に形成されていることに特徴を有するものである。
【発明の効果】
【００１４】
この発明によれば、メッシュフェンスを新設する際は勿論、ネットフェンスをメッシュフェンスに改装する際に、支柱にボルト孔等の加工を施すことなくメッシュパネルを確実に支柱に固定することができ、しかも、メッシュパネルの縦桟の位置が支柱に対して横方向に多少ずれていても、これに対応して縦桟を確実に支柱に固定することができる。
【発明を実施するための最良の形態】
【００１５】
この発明のフェンス用固定金具の一実施態様を、図面を参照しながら説明する。
【００１６】
図１は、この発明のフェンス用固定金具を示す組立て斜視図、図２は、この発明のフェンス用固定金具の使用状態を示す平面図、図３は、この発明のフェンス用固定金具の使用状態を示す側面図である。
【００１７】
図１から図３において、８は、Ｌ字状の第１金具であり、ハット形鋼からなる支柱１の一方のフランジ１Ｂに係合するフック８Ａと、縦桟と横桟とが格子状に組まれたメッシュパネルの縦桟９が嵌まり込む溝８Ｂとボルト１０とからなっている。フック８Ａは、第１金具８の短尺辺８Ｃに形成されている。溝８Ｂは、半円形状に形成され、第１金具８の長尺辺８Ｄに複数個連設されていて、その深さ（Ｌ）は、縦桟９の直径寸法（Ｄ）より浅くなっている。この理由は、後述する第２金具により縦桟９を挟んで、これを固定するためである。ボルト１０は、長尺辺８Ｄの中央部に外方に向けて固定されている。なお、溝８Ｂの形状は、横長半円形状であっても良く。この場合には、傾斜地にフェンスを施工する場合の支柱１と縦桟９との角度の変化に対応できる。
【００１８】
１１は、Ｌ字状の第２金具であり、支柱１の他方のフランジ１Ｃに係合するフック１１Ａと第１金具８のボルト１０が挿通される横長のボルト孔１１Ｂとからなっている。フック１１Ａは、第２金具１１の短尺辺１１Ｃに形成されている。ボルト孔１１Ｂは、第２金具１１の長尺辺１１Ｄに形成されている。
【００１９】
上述した、この発明のフェンス用固定金具により、メッシュパネルを支柱に固定するには、以下のようにする。
【００２０】
支柱１の一方のフランジ１Ｂに第１金具８のフック８Ａを係合させ、メッシュパネルの縦桟９を第１金具８の溝８Ｂ内に入れる。この際、支柱１と縦桟９との位置が多少ずれていても、溝８Ｂは複数個連設されているので、何れかの溝に入り込む。これにより、縦桟９を確実に固定することができる。次いで、支柱１の他方のフランジ１Ｃに第２金具１１のフック１１Ａを係合させ、そして、第２金具１１のボルト孔１１Ｂから突出した第１金具８のボルト１０にナット１２をねじ込む。これにより、フック８Ａ、１１Ａによって支柱１に係合する第１金具８と第２金具１１とによって縦桟９が挟まれるので、支柱１にボルト孔をあけることなく、メッシュパネルを支柱１に確実に固定することができる。
【００２１】
この発明の固定金具によれば、支柱１にボルト孔をあけることなく、メッシュパネルを支柱１に固定することができるので、ネットフェンスをメッシュフェンスに改装する際に特に有効である。この理由は、既存の支柱１に後からボルト孔をあける場合には、孔あけ作業と防錆塗装作業に時間と手間がかかるからである。勿論、メッシュフェンスを新設する場合にも、この発明の固定金具を使用できることは言うまでもない。
【図面の簡単な説明】
【００２２】
【図１】この発明のフェンス用固定金具を示す組立て斜視図である。
【図２】この発明のフェンス用固定金具の使用状態を示す平面図である。
【図３】この発明のフェンス用固定金具の使用状態を示す側面図である。
【図４】ネットフェンスを示す部分正面図である。
【図５】ネットフェンスを示す部分側面図である。
【符号の説明】
【００２３】
１：支柱
１Ａ：上部爪
１Ｂ：一方のフランジ
１Ｃ：他方のフランジ
２：胴縁
２Ａ：爪
３：菱形金網
４：鉄線
５：ボルト
６：固定金具
６Ａ：溝
７：袋ナット
８：第１金具（本発明）
８Ａ：フック
８Ｂ：溝
８Ｃ：短尺辺
８Ｄ：長尺辺
９：縦桟
１０：ボルト
１１：第２金具（本発明）
１１Ａ：フック
１１Ｂ：ボルト孔
１１Ｃ：短尺辺
１１Ｄ：長尺辺
１２：ナット
【図１】
0004628244.tif 000002
【図２】
0004628244.tif 000003
【図３】
0004628244.tif 000004
【図４】
0004628244.tif 000005
【図５】
0004628244.tif 000006